(57)【要約】      （修正有）【課題】2つの引き手を持つ自動スライダで、係止機構を備え，いずれの引き手を操作しても係止機構を自動的に開放できるスライダを提供する。【解決手段】スライダ１は、互いに対称に位置するとともに、リング２ａ、３ａを備えた２つの引手２，３を有する。スライダ１は、爪部６を備えた逃がし片５を収容する中空体４を含んでおり、爪部６は、ジッパーとスライダ１間における不必要な移動を防ぐためにジッパーの歯部間に離脱可能に挿入されるように構成されている。一方の引手２は、リング２ａにより逃がし片５に直に接触しており操作されると解放状態を作り出す。他方の引手３はリング３ａにより中空体４に収容された剛体９の傾斜面８に接触しており、この引手３を操作して剛体９を十分に回転させることにより、中空体４に収容された可動ピン１０を介して逃がし片５を押圧し、ジッパーの歯部から爪部６を解放する。【選択図】図１
2005111241.tif 000002
【特許請求の範囲】
【請求項１】
互いに対称に位置するとともに、リング（２ａ，３ａ）を備えた２つの引手（２，３）を有するスライダ（１）であって、前記スライダ（１）は、爪部（６）を備えた逃がし片（５）を収容する中空体（４）を含んでおり、前記爪部は、ジッパーと前記スライダ（１）間における不必要な移動を防ぐために前記ジッパーの歯部間に離脱可能に挿入されるように構成されており、前記逃がし片（５）は弾性手段（７）を備えており、当該弾性手段は、前記スライダ（１）を前記歯部に関して可動とするべく２つの引手（２，３）のうちのいずれかによって解放されるまで前記爪部（６）を前記歯部間に挿入された状態に保つ構成において、前記２つの引手（２，３）のうちの一方の引手（２）は、前記リング（２ａ）により前記逃がし片（５）に直に接触しており操作されると前記解放状態を作り出し、他方の引手（３）は前記リング（３ａ）により前記中空体（４）に収容された剛体（９）の傾斜面（８）に接触しており、前記引手（３）を操作して前記剛体（９）を十分に回転させることにより、前記中空体（４）に収容された可動ピン（１０）の一端（１０ｉ）に前記剛体（９）が押し付けられて軸方向に移動して他端（１０ｓ）が前記逃がし片（５）を押圧し、前記弾性手段（７）の抵抗を上回って前記ジッパーの歯部から前記爪部（６）を解放することができるように、前記傾斜面（８）が配置されていることを特徴とする、スライダ。
【請求項２】
前記弾性手段はストリップ（７）であって、前記ストリップは弾性的に変形し、前記逃がし片（５）と一体であるとともに、前記スライダ（１）の中空体（４）に収容されてその内壁（４ｐ）に対し押圧されている、請求項１に記載の２つの引手を有するスライダ。
【発明の詳細な説明】
【技術分野】
【０００１】
本発明は、ジッパーの技術分野に関する。
【背景技術】
【０００２】
ジッパーは、スライダと呼ばれる専用部材により互いに連結されつつ分離された２列の逆向きの歯部から一般に構成される。スライダは、ある部分を引っ張られると歯部に沿って滑動する。当該部分は、ハンドルとして機能する引手として知られており、同引手の端部に形成または連結されているリングにより、スライダに連結されている。
【０００３】
従来のスライダは、一般的に単一の引手を備えており、その引手をスライダの本体（中空体）から浮かせることにより、スライダをジッパーに対して移動させることができる。また、スライダを移動させないときは、引手がスライダの本体に自重によって近づくため、その動作を利用してスライダ又は引手に設けた係止部がジッパーの歯部間に係止して、不用意にスライダがジッパーに対して移動しないようするための係止機構を備えた構成のスライダも公知である（例えば下記特許文献１参照）。
【０００４】
【特許文献１】特開２００２−３１５６０９号公報
【０００５】
一方、スライダとしては、ジッパーの両側からスライダの操作を可能にするために、スライダおよびジッパー双方の両側面に互いに対称に位置した２つの引手を備えるように設計されたものが知られている。
【発明の開示】
【発明が解決しようとする課題】
【０００６】
しかしながら、上述のような２つの引手を有するタイプのスライダにおいては、ジッパーに対する不用意な移動を防止するための係止機構は一般に設けられていない。なぜなら、一方の引手に連動する係止機構が作動した状態（すなわち、当該一方の引手を操作しない状態）では、他方の引手を操作してスライダを移動させることができないからである。その場合、両方の引手を同時に操作すればスライダの移動自体は可能となるが、２個の引手を設けた意味がなくなる。
【０００７】
そこで、本発明の課題は、上述のような２つの引手を有するタイプのスライダにおいて、係止機構を備え、しかもいずれの引手を操作する場合でも係止機構を自動的に開放できるようにすることにある。
【課題を解決するための手段】
【０００８】
本発明は、上述のような２つの引手を有するタイプのスライダを提供する。スライダの中空体（本体）の内部には、爪部を有する逃がし片が備えられている。スライダが操作されていない時、爪部は弾性手段によって、ジッパーの歯部間の所望箇所に係止されている。２つのうちの一方の引手は、リングによって上記逃がし片に直接連結されており、上記弾性手段の抵抗を上回ると歯部から解放される。他方の引手はスライダの中空体に配置された剛体の傾斜面を押圧するリングを有している。上記剛体は、操作されると回転してピンの下端部に押し付けられる。ピンは、中空体内に可動状態で取り付けられており、ピンの先端部は逃がし片に接触している。上記ピンが先端側に移動すると、上記弾性手段の抵抗を同様に上回り、ジッパーの歯部から逃がし片が解放される。
【０００９】
したがって、本発明によれば、上記に概説した課題を確実に低コストで解決できる。
【発明を実施するための最良の形態】
【００１０】
本発明のスライダの好適な実施形態について、添付の図面を参照しながらさらに詳細に説明する。
【００１１】
図１によれば、本発明のスライダ１において、２つの引手２，３はスライダ１の中空体４の両側に対称的に配置されている。本明細書において、この中空体はあたかも一つの部材のように扱われているが、実際には、図４の分解図に示されているように、周知の方法により互いに連結または固定されたいくつかの部品から構成される。
【００１２】
前述の２つの引手２，３は、ほとんどの周知のスライダと同様に、スライダ１に引手を連結するためのリング２ａ、３ａを端部に有している。上記中空体４は逃がし片５を含み、その爪部６はジッパーの歯部間に挿入されるように設計されている（なお、簡潔性確保のため歯部は図示されていない）。そのため、スライダが必要のない時に歯部に沿って滑動することによる、ジッパーの予期せぬ開閉を防止できる。
【００１３】
逃がし片５の爪部６は、弾性手段により上記ロック位置に保持されている。本発明における弾性手段は、弾性的に撓むストリップ７の形態をとっており、逃がし片５と一体に形成されているとともに、スライダ１の中空体４内においてその内壁４ｐに押圧されるように収容されている。
【００１４】
歯部（矢印Ｄが示す領域を占めている）を解放してスライダ１を動かそうとする場合、使用者は単に一方の引手２を一方向（図１の時計回り方向）に回転させてジッパーの開閉に適切な方向に引っぱるだけでよい。すなわち、逃がし片５と接触しつつ交差するリング２ａがストリップ７の抵抗を上回って、図２の矢印Ｆが示す方向に爪部６を持ち上げ、スライダ１は自在に動くことができる。
【００１５】
他方の引手３を反対方向（図１の反時計回り方向）に回転させることによっても、同じ結果が得られる（図３参照）。
【００１６】
これは、引手３のリング３ａが傾斜面８と接触しているためである。傾斜面８は、適切な形状に形成された剛体９の一部であり、剛体９は、制限された範囲で回転できるように中空体４内に収容されている。引手３を操作すると、剛体９は回転してピン１０の一端部１０ｉが押圧される。ピン１０は、軸方向に可動な状態で、スライダの中空体４に収容されている。このピン１０は、逃がし片５に接触している他端１０ｓを有しており、軸方向に移動することで弾性ストリップ７の抵抗を上回り、ジッパーの歯部から爪部６を外すのに十分な位置まで逃がし片５を移動させる。
【００１７】
結論として、本発明の２つの引手を備えたスライダ１を用いることにより、２つの引手２，３のどちらかを操作すればスライダ１を制御できジッパーの開閉が可能となる。また、このような機能は、簡単かつ低コストで、確実な操作性を有する構成部品を用いて実現することができる。本発明のスライダ１の多様な構成部品に用いられる材料として、発明者は、金属、合金、プラスチックなど、この種の技術分野の当業者に知られた材料の使用を想定している。
【図面の簡単な説明】
【００１８】
【図１】ジッパーの歯部間に挿入された逃がし片を有する２つの引手を備えた本発明のスライダの全長にわたる縦断面図である。
【図２】一方の引手が操作されて逃がし片がジッパーの歯部から解放された場合における、図１と同様の縦断面図である。
【図３】他方の引手が操作されて逃がし片がジッパーの歯部から解放された場合における、図１と同様の縦断面図である。
【図４】様々な構成部品の形状と位置を示す、先の図面のスライダにおける分解斜視図である。
【図１】
2005111241.tif 000003
【図２】
2005111241.tif 000004
【図３】
2005111241.tif 000005
【図４】
2005111241.tif 000006